(57)【特許請求の範囲】
【請求項１】
自動車に搭載される車載システムであって、
スピーカと、
マイクロフォンと、
表示装置と、
複数の地点の各々について当該地点の名称と位置とを登録した地点データと、地図を表す地図データとを記憶した記憶装置と、
移動電話機に接続し、接続した移動電話機が音声通信を行っている期間中、接続した電話機が前記音声通信の相手である通話相手から受信した音声を前記スピーカから出力し、前記マイクロフォンから入力する音声を、前記通話相手に送信する音声として接続した電話機に出力するハンズフリー装置と、
現在位置を算定すると共に、ユーザから設定された目的地に至る経路を前記地図データに基づいて設定し、前記記憶された地図データが表す地図上に前記算定した現在位置と前記設定した経路と前記目的地とを表したナビゲーション画像を前記表示装置に表示するナビゲーション装置と、
前記移動電話機が音声通信を開始する際に、前記ナビゲーション装置が算定した現在位置周辺に位置する地点の名称を前記地点データに基づいて探索し、探索した地点の名称を前記表示装置に表示する制御部とを有し、
前記地点データには、前記複数の地点の各々の知名度のランクが登録されており、
前記制御部は、前記移動電話機が音声通信を開始する際に、前記ナビゲーション装置が算定した現在位置が目的地に所定のレベル以上接近していない場合に、現在位置に第１の距離以内に位置し、第１のランク以上知名度のランクが高い地点の名称を前記地点データに基づいて探索し、探索した地点の名称を前記表示装置に表示し、前記ナビゲーション装置が算定した現在位置が目的地に所定のレベル以上接近している場合に、現在位置に第２の距離以内に位置し、第２の知名度のランク以上知名度のランクが高い地点の名称を前記地点データに基づいて探索し、探索した地点の名称を前記表示装置に表示し、
前記第１のランクは前記第２のランクよりも高い知名度のランクであり、前記第１の距離は前記第２の距離よりも大きい距離であることを特徴とする車載システム。
【請求項２】
請求項１記載の車載システムであって、
前記制御部は、前記移動電話機が音声通信を開始する際に、前記探索した地点を前記現在位置と共に、前記地図データが表す地図上に表した画像を前記表示装置に表示することを特徴とする車載システム。
【請求項３】
移動電話機と、複数の地点の各々について当該地点の名称と位置とを登録した地点データと、地図を表す地図データとを記憶した記憶装置と、現在位置を算定すると共に、ユーザから設定された目的地に至る経路を前記地図データに基づいて設定し、前記記憶された地図データが表す地図上に、前記算定した現在位置と前記設定した経路と前記目的地とを表したナビゲーション画像を出力するナビゲーション装置とを備えたシステムにおいて、現在位置の目印となる地点を案内する現在位置目印地点案内方法であって、
前記移動電話機が音声通信の開始を検出する検出ステップと、
前記移動電話機の音声通信の開始を検出したときに、前記ナビゲーション装置が算定した現在位置周辺に位置する地点の名称を前記地点データに基づいて探索し、探索した地点の名称を前記表示装置に表示する名称表示ステップとを有し、
前記地点データには、前記複数の地点の各々の知名度のランクが登録されており、
名称表示ステップにおいて、前記移動電話機が音声通信を開始する際に、前記ナビゲーション装置が算定した現在位置が目的地に所定のレベル以上接近していない場合に、現在位置に第１の距離以内に位置し、第１のランク以上知名度のランクが高い地点の名称を前記地点データに基づいて探索し、探索した地点の名称を前記表示装置に表示し、前記ナビゲーション装置が算定した現在位置が目的地に所定のレベル以上接近している場合に、現在位置に第２の距離以内に位置し、第２の知名度のランク以上知名度のランクが高い地点の名称を前記地点データに基づいて探索し、探索した地点の名称を前記表示装置に表示し、
前記第１のランクは前記第２のランクよりも高い知名度のランクであり、前記第１の距離は前記第２の距離よりも大きい距離であることを特徴とする現在位置目印地点案内方法。
【発明の詳細な説明】
【技術分野】
【０００１】
本発明は、ユーザの現在位置の通知を支援する技術に関するものである。
【背景技術】
【０００２】
ユーザの現在位置の通知を支援する技術としては、自動車に搭載されたナビゲーション装置から移動電話機を用いて、現在位置を他のナビゲーション装置に通知し、当該他のナビゲーション装置において受信した現在位置を地図上で表した画面を表示する技術が知られている（たとえば、特許文献１）。
【特許文献１】特開平10-145510号公報
【発明の開示】
【発明が解決しようとする課題】
【０００３】
前記特許文献１記載の技術によれば、現在位置の通知を受ける側に、受信した現在位置を地図上で表す機能を備えたナビゲーション装置が必要となるために、一般の電話機を用いる相手に対する現在位置の通知は、これを支援することができない。
そこで、本発明は、一般の電話機を用いる相手に対する現在位置の通知も支援することができる車載システムを提供することを課題とする。
【課題を解決するための手段】
【０００４】
前記課題達成のために、本発明は、自動車に搭載される車載システムに、スピーカと、マイクロフォンと、表示装置と、地図を表す地図データを記憶した記憶装置と、移動電話機に接続し、接続した移動電話機が音声通信を行っている期間中、接続した電話機が前記音声通信の相手である通話相手から受信した音声を前記スピーカから出力し、前記マイクロフォンから入力する音声を、前記通話相手に送信する音声として接続した電話機に出力するハンズフリー装置と、現在位置を算定し、前記記憶された地図データが表す地図上に算定した現在位置を表したナビゲーション画像を出力するナビゲーション装置と、前記移動電話機が音声通信を開始する際に、前記ナビゲーション装置が出力する前記ナビゲーション画像が前記表示装置に表示されていない場合に、前記ナビゲーション装置が出力する前記ナビゲーション画像が前記表示装置に表示される状態となるように、当該車載システムの状態を制御する制御部とを備えたものである。
【０００５】
このような車載システムによれば、ユーザが通話を開始すると、地図上に現在位置を表したナビゲーション画像が自動的に表示される。したがって、ユーザは、このナビゲーション画像より、現在位置やその周辺にあるランドマークを即座に把握し、通話相手に通知することができるようになる。
【０００６】
また、前記課題達成のために、本発明は、自動車に搭載される車載システムに、スピーカと、マイクロフォンと、表示装置と、複数の地点の各々について当該地点の名称と位置とを登録した地点データと、地図を表す地図データとを記憶した記憶装置と、移動電話機に接続し、接続した移動電話機が音声通信を行っている期間中、接続した電話機が前記音声通信の相手である通話相手から受信した音声を前記スピーカから出力し、前記マイクロフォンから入力する音声を、前記通話相手に送信する音声として接続した電話機に出力するハンズフリー装置と、現在位置を算定し、前記記憶された地図データが表す地図上に算定した現在位置を表したナビゲーション画像を前記表示装置に表示するナビゲーション装置と、前記移動電話機が音声通信を開始する際に、前記ナビゲーション装置が算定した現在位置周辺に位置する地点の名称を前記地点データに基づいて探索し、探索した地点の名称を前記表示装置に表示する制御部とを備えたものである。
【０００７】
このような車載システムによれば、ユーザが通話を開始すると、表示装置に、現在位置周辺の地点の名称が表示される。したがって、ユーザは、現在位置の目安となる現在位置周辺の地点の名称を、即座に把握し通話相手に通知することができるようになる。
ここで、このような車載システムは、前記地点データに、前記複数の地点の各々の知名度のランクを登録し、前記制御部において、前記移動電話機が音声通信を開始する際に、より知名度のランクが高い地点の名称がより優先して、前記表示装置に表示されるように、前記地点の名称の探索と表示を行うように構成してもよい。
【０００８】
このようにすることにより、ユーザは、現在位置の目安としてより適切な地点の名称を通話相手に通知することができるようになる。
また、このような車載システムは、前記地点データに、前記複数の地点の各々の知名度のランクを登録し、前記ナビゲーション装置を、ユーザから設定された目的地に至る経路を前記地図データに基づいて設定し、前記ナビゲーション画像に、設定した経路と前記目的地との表示を含めるものとし、前記制御部において、前記移動電話機が音声通信を開始する際に、前記ナビゲーション装置が算定した現在位置が目的地に所定のレベル以上接近していない場合に、現在位置に第１の距離以内に位置し、第１のランク以上知名度のランクが高い地点の名称を前記地点データに基づいて探索し、探索した地点の名称を前記表示装置に表示し、前記ナビゲーション装置が算定した現在位置が目的地に所定のレベル以上接近している場合に、現在位置に第２の距離以内に位置し、第２の知名度のランク以上知名度のランクが高い地点の名称を前記地点データに基づいて探索し、探索した地点の名称を前記表示装置に表示するようにしてもよい。ただし、前記第１のランクは前記第２のランクよりも高い知名度のランクとし、前記第１の距離は前記第２の距離よりも大きい距離とする。
【０００９】
このようにすることにより、通話相手と目的地近傍で待ち合わせている場合に、目的地に接近しているときに、より現在位置近傍にある地点を現在位置の目安として通話相手に通知することができ、これにより通話相手から通話相手の位置までの道案内を受けたりすることができるようになる。
【００１０】
また、このような車載システムは、前記制御部において、前記移動電話機が音声通信を開始する際に、前記探索した地点を前記現在位置と共に、前記地図データが表す地図上に表した画像を前記表示装置に表示するようにしてもよい。
このようにすることにより、ユーザは、通話相手に現在位置の目安として名称を通知した地点と現在位置との位置関係を容易に把握することができ、当該位置関係についても通話相手に通知できるようになる。
なお、このような車載システムにおける通話時のナビゲーション画像や現在位置周辺の地点の名称を表示する技術は、通話にハンズフリー装置を用いないシステムや、自動車以外の移動体に搭載されたり、ユーザによって携帯されるシステムに同様に適用することができる。
【発明の効果】
【００１１】
以上のように本発明によれば、一般の電話機を用いる相手に対する現在位置の通知も支援することができるようになる。
【発明を実施するための最良の形態】
【００１２】
以下、本発明の実施形態について説明する。
図１に、本実施形態に係る車載システムの構成を示す。
図示するように、車載システム１００は、有線もしくは近距離無線インタフェース（PAN：Personal Area Networkを含む）を介して、携帯電話などと呼称される移動電話機２に接続する移動電話機インタフェース１０１、ハンズフリー装置１０２、マイクロフォン１０３、ビデオ/オーディオ装置１０４、ナビゲーション装置１０５、ＧＰＳ受信機１０６、車両センサ１０７、制御部１０８、記憶装置１０９、出力制御部１１０、スピーカ１１１、表示装置１１２、入力装置１１３とを備えている。ここで、車両センサ１０７は、角加速度センサや地磁気センサなどである方位センサや、車速パルスセンサなどである車速センサなどの各種車両状態を検出するセンサである。
【００１３】
また、記憶装置１０９には、地図を表す地図データが記憶されている。
図２に、この地図データを示す。
図示するように、地図データは、地図データの製作日時などを記述した管理データ、地図を表す地図基本データ、路線名称や路線種別などの路線の情報を路線毎に表す路線データ、サービスデータとを含んで構成される。
そして、サービスデータは、地図データの制作者によって予め選定されて地図データに含められた複数の地点の各々に対応して設けられた地点レコードを有する。そして、各地点レコードには、地点の観光地、駅、公園、飲食店、マーケットなどの種別を表す種別と、地点の知名度を表す知名度と、地点の名称、地点の座標、地点の住所、地点の電話番号、地点のその他の情報を表す地点詳細情報が予め登録されている。ここで、知名度は、たとえば、Ａ、Ｂ、Ｃの三段階で表し、たとえば、当該地点が属する都道府県内の住民であればおよそ知っている地点の知名度はＡとし、当該地点が属する区市町村内の住民であればおよそ知っている地点の知名度はＢとし、当該地点が属する町内の住民であればおよそ知っている地点の知名度はＣとする。
【００１４】
さて、図１に戻り、ナビゲーション装置１０５は、車両センサ１０７やＧＰＳ受信機１０６の出力から推定される現在位置に対して、記憶装置１０９から読み出した地図データが示す前回決定した現在位置の周辺の地図とのマップマッチング処理などを施して、現在位置や、現在走行中の路線や、現在の進行方向の算定などを行う。また、ナビゲーション装置１０５は、入力装置１１３を介してユーザによって設定された目的地までの経路を、記憶装置１０９から読み出した地図データに基づいて探索して誘導経路として設定する。そして、ナビゲーション装置１０５は、基本地図データが表す地図上に、地点レコードが示す各地点の位置や名称や、現在位置や、誘導経路や、目的地を表したナビゲーション画像を表す映像を出力制御部１１０に出力する。また、ナビゲーション装置１０５は、設定した誘導経路に沿った目的地までの道程距離の算出や、目的地到着予想時刻や目的地到着までに要する時間の算定なども行う。
【００１５】
また、ビデオ/オーディオ装置１０４は、ＤＶＤビデオ再生装置やＴＶなどのビデオ機器や、ラジオやデジタルミュージックプレイヤやＣＤプレイヤなどのオーディオ機器であり、音声、もしくは、音声及び映像を出力制御部１１０に出力する。
そして、制御部１０８は、入力装置１１３を介したユーザ操作に応じて、車載システム１００の表示モードを、ナビゲーションモードとＡＶモードとの間で切り替え、ナビゲーションモードが設定されているときには、出力制御部１１０にナビゲーション装置１０５の出力する映像を表示装置１１２に出力させると共に、ビデオ/オーディオ装置１０４が出力する音声をスピーカ１１１に出力させる。
【００１６】
また、制御部１０８は、ＡＶモードが設定されているときには、出力制御部１１０にビデオ/オーディオ装置１０４の出力する映像を表示装置１１２に出力させると共に、ビデオ/オーディオ装置１０４が出力する音声をスピーカ１１１に出力させる。ただし、ビデオ/オーディオ装置１０４がビデオ装置であって、自車が走行中である場合や、ビデオ/オーディオ装置１０４がオーディオ装置１０４である場合には、制御部１０８は、ビデオ/オーディオ装置１０４の各種操作受け付け用の画面を生成し、生成した各種操作受け付け用の画面を出力制御部１１０に表示装置１１２に表示させ、入力装置１１３を介した操作に従って各ビデオ/オーディオ装置１０４の動作を制御する。
【００１７】
また、制御部１０８は、随時、ユーザからの要求等に応じて、ナビゲーション装置、ビデオ/オーディオ装置１０４の各種操作受け付け用の画面を出力制御部１１０を介して表示装置１１２に表示し、入力装置１１３を介した操作に従って各装置の動作を制御する。
さて、このような構成において、ユーザは、車載システム１００を用いて、移動電話機２を手持ち操作することなく行う通話であるハンズフリー通話を行うことができる。
以下、このハンズフリー通話時の車載システム１００の動作について説明する。
移動電話機２は待ち受け中に着呼が発生したならばハンズフリー装置１０２に着呼を通知し、通知を受け耐えハンズフリー装置１０２は制御部１０８に着呼を通知する。そして、通知を受けた制御部１０８は着呼をユーザに呼出音等により通知する。また、ユーザのオフフック操作が発生したならば、ハンズフリーモードを設定し、ハンズフリー装置１０２を介して移動電話機２を制御して通話相手との間の呼を確立させ、移動電話機２の音声通信を開始させる。
【００１８】
また、制御部１０８は、移動電話機２の待ち受け中にユーザから発呼を要求されたならば、ユーザから入力装置１１３を介して通話相手の指定を受け付ける。そして、ハンズフリー装置１０２に、指定された通話相手への発呼を指示し、ハンズフリーモードを設定する。そして、発呼を指示されたハンズフリー装置１０２は移動電話機２に指定された通話相手に発呼させ、通話相手との間の呼が確立したならば、移動電話機２の音声通信を開始させる。
【００１９】
そして、ハンズフリー装置１０２は、移動電話機２の音声通信中、マイクロフォン１０３から入力する音声を表す音声信号を送信音声信号として移動電話機インタフェース１０１を介して移動電話機２に出力し、移動電話機２から移動電話機インタフェース１０１を介して入力する受信音声信号の表す音声を出力制御部１１０に出力する。
【００２０】
一方、移動電話機２の音声通信中、制御部１０８は、出力制御部１１０に、ハンズフリー装置１０２が出力する音声を、ビデオ/オーディオ装置１０４から出力される音声に代えてスピーカ１１１に出力させる。または、制御部１０８は、出力制御部１１０に、ハンズフリー装置１０２が出力する音声とビデオ/オーディオ装置１０４から出力される音声のミックスと、ミックスした音声のスピーカ１１１への出力を行わせる。
【００２１】
そして、ハンズフリー装置１０２は、呼の確立中に通話相手からの呼切断要求に応えて音声通信が終了し呼を解放したならば、制御部１０８にその旨を通知し、制御部１０８は通知を受け取ったならば、ハンズフリーモードを解除する。また、制御部１０８は、呼の確立中にユーザのオンフック操作が発生したならば、ハンズフリー装置１０２に呼の切断を指示し、ハンズフリーモードを解除する。そして、呼の切断を指示された、ハンズフリー装置１０２は、移動電話機２に、音声通信の終了と、通話相手への呼切断要求を送信させ、呼を解放する。
なお、移動電話機２は、車載システム１００に接続しているときには、車載システム１００からの制御に従って、各呼制御を行う。また、移動電話機２は、音声通信で移動電話網を介して通話相手から受信した受信音声信号を車載システム１００に出力し、車載システム１００から入力する送信音声信号を移動電話網を介して通話相手に送信する。
【００２２】
以上、ハンズフリー通話時の車載システム１００の動作について説明した。
次に、このようなハンズフリー通話と関連して制御部１０８が行う現在位置目印情報表示処理について説明する。
図３に、この現在位置目印情報表示処理の手順を示す。
図示するように、この処理では、ハンズフリーモードの設定を待ち（ステップ３０２）、ハンズフリーモードが設定されたならば、ナビゲーション装置１０５が起動中でなければ（ステップ３０４）、ナビゲーション装置１０５を起動した上で（ステップ３０６）、現在、ナビゲーション装置１０５の出力するナビゲーション画像が出力制御部１１０によって、表示装置１１２に表示されているかどうかを調べる（ステップ３０８）。ただし、車載システム１００の稼働中、ナビゲーション装置１０５が常時稼働するように車載システム１００が構成されている場合には、ステップ３０４、４０６の処理は不要である。
【００２３】
そして、ナビゲーション画像が表示されていれば（ステップ３０８）、ハンズフリーモードの設定の解除を待って（ステップ３１６）、ステップ３０２に戻り、次回のハンズフリーモードの設定を待つ。
一方、ナビゲーション画像が表示されていない場合には（ステップ３０８）、出力制御部１１０を制御し、ナビゲーション装置１０５が出力する映像を表示装置１１２に表示させる（ステップ３１０）。なお、この際、ナビゲーション装置１０５がナビゲーション画像を出力する状態になければ、併せて、ナビゲーション装置１０５にナビゲーション画像を出力させる制御も行う。
【００２４】
そして、ハンズフリーモードの設定の解除を待って（ステップ３１２）、出力制御部１１０を制御して、表示装置１１２の表示を元の表示に復帰した上で（ステップ３１４）、ステップ３０２に戻り、次回のハンズフリーモードの設定を待つ。
以上、現在位置目印情報表示処理について説明した。
このような、現在位置目印情報表示処理によれば、たとえば、表示モードとしてＡＶモードが設定され、表示装置１１２に図４ａに示すＦＭラジオであるところのビデオ/オーディオ装置１０４の操作受付用の画面が表示されているときに、ユーザがハンズフリー通話を開始し、ハンズフリーモードが設定されると、図４ｂに示すように、表示装置１１２の表示は、ナビゲーション装置１０５が出力するナビゲーション画像の表示に切り替わる。
【００２５】
ここで、ナビゲーション画像は、図示するように、現在位置周辺の地図上に、地点レコードが示す地点の位置を表す地点マーク４０１が、その地点の地点名称４０２と共に表されたものとなる。また、ナビゲーション画像において、現在位置を表す現在位置マーク４０３も地図画像上に表される。また、誘導経路が設定されている場合には、ナビゲーション画像において、地図表示範囲内の誘導経路を表すルート図形４０４も地図画像上に表され、さらに、表示範囲内に目的地が含まれる場合には、目的地を表す目的地マークも地図画像上に表されることになる。
【００２６】
そして、ユーザがハンズフリー通話を完了したならば、表示装置１１２の表示は図４ａに示す元の表示に復帰する。
以上のように、図３に示した現在位置目印情報表示処理によれば、ユーザが通話を開始すると、地図上に現在位置を表したナビゲーション画像が自動的に表示される。したがって、ユーザは、このナビゲーション画像より、現在位置やその周辺にある地点を即座に把握し、通話相手に通知することができるようになる。
【００２７】
ところで、図３に示した現在位置目印情報表示処理は、図５に示すように行ってもよい。
図示するように、図５に示す現在位置目印情報表示処理では、ハンズフリーモードの設定を待ち（ステップ５０２）、ハンズフリーモードが設定されたならば、ナビゲーション装置１０５から、現在位置情報と目的地情報を取得する（ステップ５０４）。ただし、車載システム１００の稼働中、ナビゲーション装置１０５は常時稼働するように車載システム１００が構成されているものとする。
【００２８】
また、ステップ５０４では、ナビゲーション装置１０５から現在位置情報として、ナビゲーション装置１０５が算定した現在位置と、現在の進行方向と、走行中路線の路線名称とを取得する。また、ステップ５０４では、ナビゲーション装置１０５から目的地情報として、ナビゲーション装置１０５における目的地の設定の有無と、ナビゲーション装置１０５が算定した誘導経路に沿った目的地までの道程距離と、目的地到着予想時刻と、目的地到着までに要する時間とを取得する。
【００２９】
そして、取得した目的地到着情報から目的地の設定の有無を調べ（ステップ５０６）、設定されていなければ、基準知名度を予め定めた標準知名度に、基準距離を予め定めた標準距離（たとえば、３Km）に設定し（ステップ５２０）、ステップ５１２に進む。ここで、標準知名度は、たとえば、前述した地点レコードの知名度の区分けに従ってＢとする。
【００３０】
一方、目的地が設定されている場合には（ステップ５０６）、目的地情報が示す的地までの道程距離が至近（たとえば、１Km以内）であるかどうかを調べ（ステップ５０８）、至近でなければ、基準知名度を予め定めた標準知名度に、基準距離を予め定めた標準距離（たとえば、３Km）に設定し（ステップ５２０）、ステップ５１２に進む。
【００３１】
一方、目的地情報が示す的地までの道程距離が至近（たとえば、１Km以内）であれば（ステップ５０８）、基準知名度を予め定めた低知名度に、基準距離を予め定めた小距離（たとえば、２００m）に設定し（ステップ５２０）、ステップ５１２に進む。ここで、低知名度は、たとえば、前述した地点レコードの知名度の区分けに従ってＣとする。
【００３２】
そして、ステップ５１２に進んだならば、記憶装置１０９の地図データのサービスデータから、現在位置から基準距離内の座標を有する地点であって、知名度として基準知名度以上の知名度を表す値が登録されている地点レコードを、知名度としてより高い値が登録されているものがより優先して選択され、同じ知名度が登録されているもの同士の間ではより現在位置に近い座標が登録されているものが優先して選択されるように、所定数抽出する（ステップ５１２）。
【００３３】
そして、抽出した地点レコードの地点の地点名称４０２や走行中路線の路線名称などを表した現在位置目印情報表示画面を生成し、出力制御部１１０を介して、表示装置１１２に表示する（ステップ５１４）。
そして、ハンズフリーモードの設定の解除を待って（ステップ５１６）、出力制御部１１０を制御して、表示装置１１２の表示を元の表示に復帰した上で（ステップ５１８）、ステップ５０２に戻り、次回のハンズフリーモードの設定を待つ。
このような、現在位置目印情報表示処理によれば、たとえば、表示装置１１２に図４ａに示すビデオ/オーディオ装置１０４の操作受付用の画面や、図４ｂに示すナビゲーション装置１０５が出力するナビゲーション画像が表示されているときに、ユーザがハンズフリー通話を開始し、ハンズフリーモードが設定されると、表示装置１１２の表示は、現在位置目印情報表示画面に切り替わる。
【００３４】
ここで、図４ｃに、図４ｂのナビゲーション画像によって示されるように、現在位置が東京タワー近くの桜田通り上にあり、目的地が現在位置の至近にないときに表示される現在位置目印情報表示画面の例を示す。
図示するように、この現在位置目印情報表示画面には、「東京タワー」や「芝公園」といった現在位置近くの知名度の高い地点の地点名称４１１と、「桜田通り」といった走行中路線の路線名称４１２が表示される。また、この例では、併せて、目的地到着予想時刻や目的地到着までに要する時間などの目的地到着情報４１３を表示している。また、現在行われているハンズフリー通話の通話相手の電話番号や通話時間も通話情報４１４として表示するようにしている。
【００３５】
このように図５に示した現在位置目印情報表示処理によれば、ユーザが通話を開始すると、表示装置１１２に、現在位置周辺の知名度の高い地点の名称が表示される。したがって、ユーザは、現在位置の目安となる現在位置周辺の地点の名称を、即座に把握し通話相手に通知することができるようになる。
【００３６】
また、現在位置が目的地に近づいたときには、より現在位置近傍にある地点の地点名称４０２が表示されることになるので、通話相手と目的地近傍で待ち合わせている場合に、目的地に接近しているときに、より現在位置近傍にある地点を、現在位置の目安として通話相手に通知することができるようになる。そして、これにより通話相手から通話相手の位置までの道案内を受けたりすることができるようになる。
【００３７】
なお、このような現在位置目印情報表示画面には、図４ｄに示すように、「４０ｍ先左側」といったようなステップ５１２で抽出した地点のうちの最も現在位置に近いもしくは知名度が最も高い地点と現在位置との位置関係を示す情報４２０や、ステップ５１２で抽出した地点のうちの最も現在位置に近いもしくは知名度が最も高い地点と現在位置とを地図上で表した案内地図４２１を、記憶装置１０９の地図データに基づいて生成し、表示するようにしてもよい。
【００３８】
このようにすることにより、ユーザは、現在位置周辺の地点の名称と共に、当該地点と現在位置との位置関係についても容易に把握することができ、これにより当該位置関係についても通話相手に通知できるようになる。
なお、この案内地図４２０は、ステップ５０８で、目的地が至近であると判定された場合にのみ、または、当該場合とステップ５０で目的地が設定されていないと判定された場合にのみ表示するようにしてもよい。
さて、このような現在位置目印情報表示画面が表示された後、ユーザがハンズフリー通話を完了したならば、表示装置１１２の表示は図４ａや図４ｂに示す元の表示に復帰する。
以上、本発明の実施形態について説明した。
なお、以上の実施形態で示した車載システム１００における通話時のナビゲーション画像や現在位置周辺の地点の名称や位置を表示する技術は、通話にハンズフリー装置１０２を用いないシステムや、自動車以外の移動体に搭載されたり、ユーザによって携帯されるシステムに同様に適用することができる。
【図面の簡単な説明】
【００３９】
【図１】本発明の実施形態に係る車載システムの構成を示すブロック図である。
【図２】本発明の実施形態に係る車載システムが保持する地図データを示す図である。
【図３】本発明の実施形態に係る車載システムの現在位置目印情報表示処理を示すフローチャートである。
【図４】本発明の実施形態に係る車載システムの表示画面例を示す図である。
【図５】本発明の実施形態に係る車載システムの現在位置目印情報表示処理の他の構成例を示すフローチャートである。
【符号の説明】
【００４０】
２…移動電話機、１００…車載システム、１０１…移動電話機インタフェース、１０２…ハンズフリー装置、１０３…マイクロフォン、１０４…オーディオ装置、１０５…ナビゲーション装置、１０６…ＧＰＳ受信機、１０７…車両センサ、１０８…制御部、１０９…記憶装置、１１０…出力制御部、１１１…スピーカ、１１２…表示装置、１１３…入力装置。
【図１】
0004970160.tif 000002
【図２】
0004970160.tif 000003
【図３】
0004970160.tif 000004
【図４】
0004970160.tif 000005
【図５】
0004970160.tif 000006